(57)【要約】【課題】本発明は、複数のワンセグ放送を同時に表示することができるマルチチャンネル表示装置を提供する。【解決手段】本発明に係るマルチチャンネル表示装置１００は、受信部１、マルチデコーダ部５および表示部（６，７）を備えている。受信部１は、圧縮符号化されたワンセグデジタル信号を受信する。マルチデコーダ部５は、ハードウェア処理により、受信部１で受信したワンセグデジタル信号を、複数の放送番組毎に順次にデコードする。さらに、表示部（６，７）は、マルチデコーダ部５からの出力信号に従い、複数の放送番組を同時に動画表示するマルチ動画像表示を行う。【選択図】図１
2010141398.tif 000002
【特許請求の範囲】
【請求項１】
圧縮符号化されたワンセグデジタル信号を受信する受信部と、
ハードウェア処理により、前記受信部で受信した前記ワンセグデジタル信号を、複数の放送番組毎に順次にデコードする、マルチデコーダ部と、
前記マルチデコーダ部からの出力信号に従い、複数の放送番組を同時に動画表示するマルチ動画像表示を行う表示部とを、備えている、
ことを特徴とするマルチチャンネル表示装置。
【請求項２】
前記受信部からの前記ワンセグデジタル信号を受け、所定の間隔でチャンネルの切替えを行う、一つの第一のチューナ部と、
前記第一のチューナ部から出力される各チャンネル毎の前記ワンセグデジタル信号を、当該各チャンネル毎に記憶するメモリ部とを、さらに備えており、
前記マルチデコーダ部は、
前記メモリ部から出力される各チャンネル毎の前記ワンセグデジタル信号を順次受信し、受信した各チャンネル毎の前記ワンセグデジタル信号を順次にデコードする、
ことを特徴とする請求項１に記載のマルチチャンネル表示装置。
【請求項３】
表示モードの切替えを行うことができる、表示モード切替部を、さらに備えており、
前記表示部は、
前記表示モード切替部からの出力信号に応じて、一の放送番組のみの動画表示から、前記マルチ動画像表示に切替える、
ことを特徴とする請求項２に記載のマルチチャンネル表示装置。
【請求項４】
操作部を、さらに備えており、
前記操作部における操作により、前記表示部での前記マルチ動画像表示中の一の放送番組が選択されたとき、
前記表示部は、
前記選択されたことを示す信号に応じて、前記マルチ動画像表示から、前記選択された一の放送番組のみの動画表示に切替える、
ことを特徴とする請求項３に記載のマルチチャンネル表示装置。
【請求項５】
前記受信部からの前記ワンセグデジタル信号を受け、チャンネルの選択を行う第二のチューナ部を、さらに備えており、
前記マルチデコーダ部は、
前記第二のチューナ部から出力される選択された所定のチャンネルの前記ワンセグデジタル信号をデコードし、
前記表示部は、
前記第二のチューナ部で選択された前記所定のチャンネルの放送番組を動画像表示すると同時に、前記マルチ動画像表示を行う、
ことを特徴とする請求項２に記載のマルチチャンネル表示装置。
【請求項６】
前記表示部は、
複数の放送番組を各放送番組毎に区分して、前記マルチ動画像表示を行い、
前記第一のチューナ部で選択中の放送番組の前記区分部に枠を付与する、
ことを特徴とする請求項２に記載のマルチチャンネル表示装置。
【請求項７】
前記表示部は、
複数の放送番組を各放送番組毎に区分して、前記マルチ動画像表示を行い、
前記第一のチューナ部で選択中の放送番組は、前記表示部の固定区分位置に表示する、
ことを特徴とする請求項２に記載のマルチチャンネル表示装置。
【請求項８】
前記表示部は、
複数の放送番組を各放送番組毎に区分して、前記マルチ動画像表示を行い、
前記第一のチューナ部で選択中の放送番組を、他の放送番組よりも大きな区分で表示する、
ことを特徴とする請求項２に記載のマルチチャンネル表示装置。
【請求項９】
前記表示部は、
複数の放送番組を各放送番組毎に区分して、前記マルチ動画像表示を行い、
前記第一のチューナ部で選択中の放送番組を、第一のサイズの区分と前記第一のサイズより大きな第二のサイズの区分にて表示する、
ことを特徴とする請求項２に記載のマルチチャンネル表示装置。
【発明の詳細な説明】
【技術分野】
【０００１】
この発明は、ワンセグテレビ放送の受信および表示を行う装置に関するものである。
【背景技術】
【０００２】
近年、周波数利用効率が高く、伝送品質および画像品質に優れた放送を提供することを可能とするデジタル放送が開始されている。
【０００３】
日本の地上デジタル放送では、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交波周波数分割多重）方式が採用され、帯域幅６ＭＨｚの放送チャンネル（物理チャンネル）を１４個のセグメントに分割している。当該１４個のセグメントのうち、ガードバンドを除いた１３個のセグメントを複数のセグメント群（階層）のグループに分けて、各グループ単位で情報符号化方式や変調方式等の異なる番組を同時に放送することを可能にしている。
【０００４】
例えば、１３個のセグメントのうち、中央の１セグメントを除く１２セグメントを用いて、固定受信向けにハイビジョン番組を放送する。さらに、移動受信向けに、前記中央の１セグメントを用いて１セグメント放送（ワンセグ放送）が既に実用されている。なお、画像圧縮符号化方式として、ワンセグ放送の番組には、Ｈ．２６４方式が採用されている。
【０００５】
ワンセグ放送受信装置で、ワンセグ放送を表示する場合には、Ｈ．２６４方式で圧縮されたワンセグデジタル信号を受信し、受信したワンセグデジタル信号をデコードし、デコードされた信号に従って表示部において動画像表示を行う。
【０００６】
なお、ワンセグ放送技術に関する先行技術として、たとえば特許文献１および特許文献２などが存在する。
【０００７】
【特許文献１】特開２００７−３１８３９９号公報
【特許文献２】特開２００７−３１８４０４号公報
【発明の開示】
【発明が解決しようとする課題】
【０００８】
しかしながら、従来のワンセグ放送受信（表示）装置では、１つのチューナにより選局された１チャンネル分のワンセグ放送しか、デコードできなかった。したがって、表示部に表示されるワンセグ放送も当該１チャンネル分のものだけであった。
【０００９】
しかしながら、複数のワンセグ放送を同時に表示することができるワンセグ放送受信（表示）装置は、市場において切望されている。
【００１０】
そこで、本発明は、複数のワンセグ放送を同時に表示することができるマルチチャンネル表示装置を、提供することを目的とする。
【課題を解決するための手段】
【００１１】
上記の目的を達成するために、本発明に係る請求項１に記載のマルチチャンネル表示装置は、圧縮符号化されたワンセグデジタル信号を受信する受信部と、ハードウェア処理により、前記受信部で受信した前記ワンセグデジタル信号を、複数の放送番組毎に順次にデコードする、マルチデコーダ部と、前記マルチデコーダ部からの出力信号に従い、複数の放送番組を同時に動画表示するマルチ動画像表示を行う表示部とを、備えている。
【００１２】
また、本発明に係る請求項２に記載のマルチチャンネル表示装置は、請求項１に記載のマルチチャンネル表示装置であって、前記受信部からの前記ワンセグデジタル信号を受け、所定の間隔でチャンネルの切替えを行う、一つの第一のチューナ部と、前記第一のチューナ部から出力される各チャンネル毎の前記ワンセグデジタル信号を、当該各チャンネル毎に記憶するメモリ部とを、さらに備えており、前記マルチデコーダ部は、前記メモリ部から出力される各チャンネル毎の前記ワンセグデジタル信号を順次受信し、受信した各チャンネル毎の前記ワンセグデジタル信号を順次にデコードする。
【００１３】
また、本発明に係る請求項３に記載のマルチチャンネル表示装置は、請求項２に記載のマルチチャンネル表示装置であって、表示モードの切替えを行うことができる、表示モード切替部を、さらに備えており、前記表示部は、前記表示モード切替部からの出力信号に応じて、一の放送番組のみの動画表示から、前記マルチ動画像表示に切替える。
【００１４】
また、本発明に係る請求項４に記載のマルチチャンネル表示装置は、請求項３に記載のマルチチャンネル表示装置であって、操作部を、さらに備えており、前記操作部における操作により、前記表示部での前記マルチ動画像表示中の一の放送番組が選択されたとき、前記表示部は、前記選択されたことを示す信号に応じて、前記マルチ動画像表示から、前記選択された一の放送番組のみの動画表示に切替える。
【００１５】
また、本発明に係る請求項５に記載のマルチチャンネル表示装置は、請求項２に記載のマルチチャンネル表示装置であって、前記受信部からの前記ワンセグデジタル信号を受け、チャンネルの選択を行う第二のチューナ部を、さらに備えており、前記マルチデコーダ部は、前記第二のチューナ部から出力される選択された所定のチャンネルの前記ワンセグデジタル信号をデコードし、前記表示部は、前記第二のチューナ部で選択された前記所定のチャンネルの放送番組を動画像表示すると同時に、前記マルチ動画像表示を行う。
【００１６】
また、本発明に係る請求項６に記載のマルチチャンネル表示装置は、請求項２に記載のマルチチャンネル表示装置であって、前記表示部は、複数の放送番組を各放送番組毎に区分して、前記マルチ動画像表示を行い、前記第一のチューナ部で選択中の放送番組の前記区分部に枠を付与する。
【００１７】
また、本発明に係る請求項７に記載のマルチチャンネル表示装置は、請求項２に記載のマルチチャンネル表示装置であって、前記表示部は、複数の放送番組を各放送番組毎に区分して、前記マルチ動画像表示を行い、前記第一のチューナ部で選択中の放送番組は、前記表示部の固定区分位置に表示する。
【００１８】
また、本発明に係る請求項８に記載のマルチチャンネル表示装置は、請求項２に記載のマルチチャンネル表示装置であって、前記表示部は、複数の放送番組を各放送番組毎に区分して、前記マルチ動画像表示を行い、前記第一のチューナ部で選択中の放送番組を、他の放送番組よりも大きな区分で表示する。
【００１９】
また、本発明に係る請求項９に記載のマルチチャンネル表示装置は、請求項２に記載のマルチチャンネル表示装置であって、前記表示部は、複数の放送番組を各放送番組毎に区分して、前記マルチ動画像表示を行い、前記第一のチューナ部で選択中の放送番組を、第一のサイズの区分と前記第一のサイズより大きな第二のサイズの区分にて表示する。
【発明の効果】
【００２０】
本発明の請求項１に記載のマルチチャンネル表示装置では、マルチデコーダ部は、ハードウェア処理により、受信部で受信したワンセグデジタル信号を、複数の放送番組毎に順次にデコードする。そして、表示部は、マルチデコーダ部からの出力信号に従い、複数の放送番組を同時に動画表示するマルチ動画像表示を行う。
【００２１】
このように、上記デコード処理はハードウェア処理により実現されるので、ソフトウェア処理によるデコード処理よりも、デコード処理の高速化を図ることができる。したがって、１つのチューナ部のみにより、表示部において複数のワンセグ放送番組を同時に、しかも動画にて表示することができる。
【００２２】
また、本発明に係る請求項２に記載のマルチチャンネル表示装置では、第一のチューナ部は、所定の間隔でチャンネルの切替えを行う。そして、メモリ部は、第一のチューナ部から出力される各チャンネル毎のワンセグデジタル信号を、当該各チャンネル毎に記憶する。そして、マルチデコーダ部は、メモリ部から出力される各チャンネル毎のワンセグデジタル信号を順次受信し、受信した各チャンネル毎のワンセグデジタル信号を順次にデコードする。
【００２３】
したがって、簡易な回路構成を用いて、１つの第一のチューナ部のみにより、表示部において複数のワンセグ放送番組を同時に、しかも動画にて表示することができる。また、表示部において上記マルチ動画像表示を行うのに、複数のチューナ部を必要としない。したがって、低コストおよび装置の大型化を防止しつつ、上記マルチ動画像表示を行うマルチチャンネル表示装置を提供することができる。
【００２４】
また、本発明に係る請求項３に記載のマルチチャンネル表示装置では、表示モードの切替えを行うことができる、表示モード切替部を、さらに備えている。そして、表示部は、表示モード切替部からの出力信号に応じて、一の放送番組のみの動画表示から、マルチ動画像表示に切替える。
【００２５】
また、本発明に係る請求項４に記載のマルチチャンネル表示装置では、操作部を、さらに備えている。そして、操作部において表示部でのマルチ動画像表示中の一の放送番組が選択されたとき、表示部は、マルチ動画像表示から、選択された一の放送番組のみの動画表示に切替える。
【００２６】
したがって、簡単な操作により、上記表示モードの切替を実現することができる。
【００２７】
また、本発明に係る請求項５に記載のマルチチャンネル表示装置では、マルチ動画像表示を実現するための第一のチューナ部に加えて、リアルタイム動画像表示を実現するための第二のチューナ部を備えている。
【００２８】
したがって、ユーザがメインで見たい番組をリアルタイム動画像表示させながら、複数の裏番組を同時に動画像（マルチ動画像表示）にて確認することができる。
【００２９】
また、本発明に係る請求項６に記載のマルチチャンネル表示装置は、第一のチューナ部で選択中の放送番組の区分部に枠を付与する。また、本発明に係る請求項７に記載のマルチチャンネル表示装置は、第一のチューナ部で選択中の放送番組は、表示部の固定区分位置に表示する。また、本発明に係る請求項８に記載のマルチチャンネル表示装置は、第一のチューナ部で選択中の放送番組を、他の放送番組よりも大きな区分で表示する。また、本発明に係る請求項９に記載のマルチチャンネル表示装置は、第一のチューナ部で選択中の放送番組を、第一のサイズの区分と第一のサイズより大きな第二のサイズの区分にて表示する。
【００３０】
したがって、第一のチューナ部で選択中の放送番組を、他の録画動画像表示されている放送番組よりも明確に区別して表示できる。
【発明を実施するための最良の形態】
【００３１】
以下、この発明をその実施の形態を示す図面に基づいて具体的に説明する。
【００３２】
＜実施の形態１＞
図１は、本実施の形態に係るマルチチャンネル表示装置１００の構成を示すブロック図である。
【００３３】
図１に示すように、マルチチャンネル表示装置１００は、受信部（アンテナ）１、チューナ部（第一のチューナ部と把握できる）２、デマルチプレクサ部３、メモリ部４、マルチデコーダ部５、および表示部（表示制御部６およびパネル７）から構成されている。
【００３４】
受信部１は、圧縮符号化されたワンセグデジタル信号を受信する。ここで、画像圧縮符号化方式がＨ．２６４方式である場合には、フレームレートは１５ｆｐｓである。
【００３５】
１台のチューナ部２は、受信部１からのワンセグデジタル信号を受信し、複数のチャンネルのワンセグ放送の中から一のチャンネルを選局する部分である。本実施の形態では、１ｃｈ〜６ｃｈのワンセグ放送を受信できる場合について説明する。また、チューナ部２は、所定の間隔でチャンネルの切替えを自動で行う（自動選局制御）。たとえば、本実施の形態では、チューナ部２は、１０秒毎にチャンネルの切替えを順次自動で行う（ｃｈ１→ｃｈ２→・・・→ｃｈ６→ｃｈ１→・・・）。なお、チャンネルの切替えには約２秒要するので、１のチャンネルの受信時間は約８秒（１０秒−２秒）である。当該自動選局制御は、チューナ部２が受信する制御部（図示せず）からの信号に基づいて、実施される。
【００３６】
デマルチプレクサ部３は、チューナ部２で選局されたチャンネルのワンセグデジタル信号を受信する。そして、デマルチプレクサ部３は、受信したワンセグデジタル信号から、画像データおよび音声データを取得する。そして、デマルチプレクサ部３は、取得した画像データおよび音声データを、たとえば６６ｍｓ間隔でメモリ部４へ送信する。
【００３７】
デマルチプレクサ部３で取得した各チャンネル毎の画像データおよび音声データは、メモリ部４において、各チャンネル毎に分けて記憶される。たとえば、ｃｈ１の画像データおよび音声データは、メモリ部４のｃｈ１で規定される領域に記憶される。また、ｃｈ２の画像データおよび音声データは、メモリ部４のｃｈ２で規定される領域に記憶される。同様の考察により、ｃｈ６の画像データおよび音声データは、メモリ部４のｃｈ６で規定される領域に記憶される。また、メモリ部４は、各ｃｈ分のデータ（ｃｈ１で規定される領域に記憶されているデータ乃至ｃｈ６で規定される領域に記憶されているデータ）を順次、マルチデコーダ部５に送信する。
【００３８】
マルチデコーダ部５では、受信部１で受信したワンセグデジタル信号を、複数の放送番組毎に順次にデコードする。具体的に、マルチデコーダ部５は、メモリ部４から出力される各チャンネル毎のワンセグデジタル信号（画像データおよび音声データ）を順次受信し、受信した各チャンネル毎の当該ワンセグデジタル信号を順次にデコードする。
【００３９】
マルチデコーダ部５は、複数のデコード部５ａ〜５ｆを有している。デコード部５ａでは、メモリ部４のｃｈ１で規定される領域から送信されるデータをデコードする。デコード部５ｂでは、メモリ部４のｃｈ２で規定される領域から送信されるデータをデコードする。デコード部５ｃでは、メモリ部４のｃｈ３で規定される領域から送信されるデータをデコードする。デコード部５ｄでは、メモリ部４のｃｈ４で規定される領域から送信されるデータをデコードする。デコード部５ｅでは、メモリ部４のｃｈ５で規定される領域から送信されるデータをデコードする。デコード部５ｆでは、メモリ部４のｃｈ６で規定される領域から送信されるデータをデコードする。
【００４０】
なお、本発明に係るマルチデコーダ部５は、プログラムに従ってデコード処理を行うソフトウェア的動作を行うものでない。つまり、本発明に係るマルチデコーダ部５は、論理回路等を組み合わせることにより構成されるハードウェア構成であり、当該ハードウェア構成におけるハードウェア処理によりデコード処理が実行される。また、マルチデコーダ部５でデコードされた信号は、表示制御部６へと送信される。
【００４１】
表示制御部６では、マルチデコーダ部５から送信される各信号に対して、表示サイズや表示位置などを調整する処理を行う。そして、当該調整後の各信号を、パネル７へ送信する。パネル７では、受信した各信号に従った動画像表示を行う。上記の通り、パネル７には、複数のチャンネル（ｃｈ１〜ｃｈ６）におけるワンセグ放送が動画像にて同時に表示される。ここで、複数の放送番組を、同時にて、動画像で表示することを、「マルチ動画像表示」と称することとする。
【００４２】
次に、本実施の形態に係るマルチチャンネル表示装置１００の動作を、図２，３を用いて説明する。
【００４３】
ここで、図２は、マルチチャンネル表示装置１００の動作のタイミングを簡略的に示した図である。また、図３は、各タイミングにおけるパネル７での表示状況を示す図である。なお、図３の各パネル７において、上段左端には、ｃｈ１の動画像が表示される。上段中央には、ｃｈ２の動画像が表示される。上段右端には、ｃｈ３の動画像が表示される。下段左端には、ｃｈ４の動画像が表示される。下段中央には、ｃｈ５の動画像が表示される。下段右端には、ｃｈ６の動画像が表示される。
【００４４】
まず、チューナ部２は、所定のタイミングの自動選局制御に従い、ｃｈ１を選局する。図２の「Ａ」および図３の「Ａ」のパネル７に示すように、当該選局（チャンネルの切替え動作）には、２秒程度要する（いずれのチャンネルを選局する場合であっても、２秒程度要する）。なお、チャンネルの切替え動作が完全に終了するまで（上記２秒間）、選局されたチャンネルの画像はパネル７には表示されない。
【００４５】
当該２秒後、チューナ部２からｃｈ１のワンセグデジタル信号が送信される。デマルチプレクサ部３においてｃｈ１の画像データおよび音声データを取得した後、当該取得した各データは、メモリ部４のｃｈ１で規定される領域に記憶（以後、録画と称する）される。当該録画動作と共に、当該取得した各データはマルチデコーダ部５のデコード部５ａに送信され、当該デコード部５ａでデコード処理が実施された後、表示制御部６の制御の下、図３の「Ｂ」に示すように、ｃｈ１のワンセグ放送が動画像でリアルタイムにて表示される。当該ｃｈ１のリアル動画像表示およびｃｈ１の録画（これを、ｃｈ１に対する並列動作と称する）については、図２の２段目の「Ｂ」の期間を参照されたい。
【００４６】
ｃｈ１の選局動作から１０秒を経過すると、チューナ部２は、自動選局制御に従い、ｃｈ１からｃｈ２に選局を切替える（図２の「Ｃ」、図３の「Ｃ」参照）。ｃｈ１が選局されてからｃｈ２が選局されるまでの時間は１０秒なので、図２の「Ｂ」および図３の「Ｂ」に示すように、ｃｈ１に対する並列動作は、８秒間実施される（以後、他のチャンネルの並列動作も８秒間実施される）。
【００４７】
また、ｃｈ２への切替え処理開始と同時に、上記８秒間録画されていたｃｈ１の動画像を、パネル７にて再生表示する（図２の３段目および図３の「Ｃ」参照）。ここで、当該ｃｈ１の録画データの再生は、次にｃｈ１が選局されるまでの間、繰り返し実施される（図２の「Ｎ」開始時まで）。当該ｃｈ１の再生動作は、以下の通りである。つまり、メモリ部４のｃｈ１で規定される領域に録画されていた上記８秒間の各データが、マルチデコーダ部５のデコード部５ａに送信される。そして、当該デコード部５ａでデコード処理が実施された後、表示制御部６の制御の下、図３の「Ｃ」に示すように、ｃｈ１のワンセグ録画データが動画像で表示される。
【００４８】
また、上記ｃｈ２への切替え完了後、チューナ部２からｃｈ２のワンセグデジタル信号が送信される。デマルチプレクサ部３においてｃｈ２の画像データおよび音声データを取得した後、当該取得した各データは、メモリ部４のｃｈ２で規定される領域に録画される。当該録画動作と共に、当該取得した各データはマルチデコーダ部５のデコード部５ｂに送信され、当該デコード部５ｂでデコード処理が実施された後、表示制御部６の制御の下、図３の「Ｄ」に示すように、ｃｈ２のワンセグ放送が動画像でリアルタイムにて表示される。当該ｃｈ２のリアル動画像表示およびｃｈ２の録画（これを、ｃｈ２に対する並列動作と称する）については、図２の２段目の「Ｄ」の期間を参照されたい。
【００４９】
ｃｈ２の選局動作から１０秒を経過すると、チューナ部２は、自動選局制御に従い、ｃｈ２からｃｈ３に選局を切替える（図２の「Ｅ」、図３の「Ｅ」参照）。なお、上記と同様に、ｃｈ２に対する並列動作は、８秒間実施される。
【００５０】
また、ｃｈ３への切替え処理開始と同時に、上記８秒間録画されていたｃｈ２の動画像を、パネル７にて再生表示する（図２の４段目および図３の「Ｅ」参照）。ここで、当該ｃｈ２の録画データの再生は、次にｃｈ２が選局されるまでの間、繰り返し実施される（図２の「Ｐ」開始時まで）。当該ｃｈ２の再生動作は、以下の通りである。つまり、メモリ部４のｃｈ２で規定される領域に録画されていた上記８秒間の各データが、マルチデコーダ部５のデコード部５ｂに送信される。そして、当該デコード部５ｂでデコード処理が実施された後、表示制御部６の制御の下、図３の「Ｅ」に示すように、ｃｈ２のワンセグ録画データが動画像で表示される。
【００５１】
ここで、図３の「Ｅ」に示すように、録画されていたｃｈ１のデータの繰り返し再生動作は、継続されている。
【００５２】
また、上記ｃｈ３への切替え完了後、チューナ部２からｃｈ３のワンセグデジタル信号が送信される。デマルチプレクサ部３においてｃｈ３の画像データおよび音声データを取得した後、当該取得した各データは、メモリ部４のｃｈ３で規定される領域に録画される。当該録画動作と共に、当該取得した各データはマルチデコーダ部５のデコード部５ｃに送信され、当該デコード部５ｃでデコード処理が実施された後、表示制御部６の制御の下、図３の「Ｆ」に示すように、ｃｈ３のワンセグ放送が動画像でリアルタイムにて表示される。当該ｃｈ３のリアル動画像表示およびｃｈ３の録画（これを、ｃｈ３に対する並列動作と称する）については、図２の２段目の「Ｆ」の期間を参照されたい。
【００５３】
上記の通り、チューナ部２は、１０秒間隔でチャンネルの切替えを行う（ｃｈ１→ｃｈ２→ｃｈ３→ｃｈ４→ｃｈ５→ｃｈ６）。そして、当該切替え動作後において、その時点で選局されているチャンネルのリアル動画像表示とリアル動画像の録画、および、その時点までに既に選局され録画されていた各チャンネルのデータの繰り返し再生表示が同時に実施される（図２の「Ｇ」〜「Ｌ」および図３の「Ｇ」〜「Ｌ」参照）。
【００５４】
さて、最後にｃｈ１が選局されてから、６０秒経過したとする。すると、チューナ部２は、自動選局制御に従い、ｃｈ６から再びｃｈ１に選局を切替える（図２の「Ｍ」、図３の「Ｍ」参照）。ここで、図２の３段目および図３の「Ｍ」に示すように、ｃｈ１への切替え処理が完全に完了するまでの間、ｃｈ１の録画データの繰り返し再生表示は継続される。
【００５５】
また、ｃｈ１への切替え処理開始と同時に、上記８秒間録画されていたｃｈ６の動画像を、パネル７にて再生表示する（図２の８段目および図３の「Ｍ」参照）。ここで、当該ｃｈ６の録画データの再生は、次にｃｈ６が選局されるまでの間、繰り返し実施される。当該ｃｈ６の再生動作は、以下の通りである。つまり、メモリ部４のｃｈ６で規定される領域に録画されていた上記８秒間の各データが、マルチデコーダ部５のデコード部５ｆに送信される。そして、当該デコード部５ｆでデコード処理が実施された後、表示制御部６の制御の下、図３の「Ｍ」に示すように、ｃｈ６のワンセグ録画データが動画像で表示される。
【００５６】
ここで、図３の「Ｍ」に示すように、録画されていたｃｈ２乃至ｃｈ５の各録画データの繰り返し再生表示も、継続されている。
【００５７】
上記ｃｈ１への切替え完了後、チューナ部２からｃｈ１のワンセグデジタル信号が送信される。デマルチプレクサ部３においてｃｈ１の画像データおよび音声データを取得した後、当該取得した各データは、メモリ部４のｃｈ１で規定される領域に録画される。つまり、前回録画していたデータを消去し、新たにデータを録画する。当該録画動作と共に、当該取得した各データはマルチデコーダ部５のデコード部５ａに送信され、当該デコード部５ａでデコード処理が実施された後、表示制御部６の制御の下、図３の「Ｎ」に示すように、ｃｈ１のワンセグ放送が動画像でリアルタイムにて表示される。当該ｃｈ１のリアル動画像表示およびｃｈ１の録画（ｃｈ１に対する並列動作と称する）については、図２の２段目の「Ｎ」の期間を参照されたい。
【００５８】
さて、最後にｃｈ２が選局されてから、６０秒経過したとする（つまり、上記ｃｈ１の再切替えから１０秒後）。すると、チューナ部２は、自動選局制御に従い、ｃｈ１から再びｃｈ２に選局を切替える（図２の「Ｏ」、図３の「Ｏ」参照）。ここで、図２の４段目および図３の「Ｏ」に示すように、ｃｈ２への切替え処理が完全に完了するまでの間、ｃｈ２の録画データの繰り返し再生表示は継続される。
【００５９】
また、ｃｈ２への切替え処理開始と同時に、上記８秒間新たに録画したｃｈ１の動画像を、パネル７にて再生表示する（図２の３段目および図３の「Ｏ」参照）。ここで、当該ｃｈ１の録画データの再生は、次にｃｈ１が選局されるまでの間、繰り返し実施される。当該ｃｈ１の再生動作は、上記と同様である。
【００６０】
ここで、図３の「Ｏ」に示すように、録画されていたｃｈ３乃至ｃｈ６の各録画データの繰り返し再生表示も、継続されている。
【００６１】
上記ｃｈ２への切替え完了後、チューナ部２からｃｈ２のワンセグデジタル信号が送信される。デマルチプレクサ部３においてｃｈ２の画像データおよび音声データを取得した後、当該取得した各データは、メモリ部４のｃｈ２で規定される領域に録画される。つまり、前回録画していたデータを消去し、新たにデータを録画する。当該録画動作と共に、当該取得した各データはマルチデコーダ部５のデコード部５ｂに送信され、当該デコード部５ｂでデコード処理が実施された後、表示制御部６の制御の下、図３の「Ｐ」に示すように、ｃｈ２のワンセグ放送が動画像でリアルタイムにて表示される。当該ｃｈ２のリアル動画像表示およびｃｈ２の録画（ｃｈ２に対する並列動作と称する）については、図２の２段目の「Ｐ」の期間を参照されたい。
【００６２】
このように、チューナ部２は、１０秒間隔でチャンネルの切替えを繰り返し行う（ｃｈ１→ｃｈ２→・・・ｃｈ６→ｃｈ１→ｃｈ２→・・・ｃｈ６→ｃｈ１→・・・）。そして、当該切替え動作後において、その時点で選局されているチャンネルのリアル動画像表示とリアル動画像の新たな録画、および、その時点までに既に選局され新たに録画された各チャンネルのデータの繰り返し再生表示が同時に実施される。
【００６３】
なお、図４に、たとえば図３の「Ｎ」の期間中における、メモリ部４からマルチデコーダ部５へ送信されるデータの様子を示す。
【００６４】
上記「Ｎ」期間に選局されているｃｈ１の１フレーム目のデータが、メモリ部４を介して、マルチデコーダ部５（デコード部５ａ）に送信される（当該送信期間は、１０ｍｓである）。当該ｃｈ１の１フレーム目のデータ送信終了後、メモリ部４は、ｃｈ２で規定される領域に格納されていたｃｈ２の１フレーム目のデータを、マルチデコーダ部５（デコード部５ｂ）に送信する（当該送信期間は、１０ｍｓである）。当該ｃｈ２の１フレーム目のデータ送信終了後、メモリ部４は、ｃｈ３で規定される領域に格納されていたｃｈ３の１フレーム目のデータを、マルチデコーダ部５（デコード部５ｃ）に送信する（当該送信期間は、１０ｍｓである）。その後、同様にして、メモリ部４の各チャンネル（ｃｈ４→ｃｈ５→ｃｈ６）領域に格納されている各チャンネル（ｃｈ４乃至ｃｈ６）の１フレーム目のデータの送信を、順次実施する。
【００６５】
ｃｈ６の１フレーム目のデータ送信終了後（ｃｈ１の１フレーム目のデータ送信開始時から６６ｍｓ後）、上記「Ｎ」期間に選局されているｃｈ１の２フレーム目のデータが、メモリ部４を介して、マルチデコーダ部５（デコード部５ａ）に送信される（当該送信期間は、１０ｍｓである）。当該ｃｈ１の２フレーム目のデータ送信終了後、メモリ部４は、ｃｈ２で規定される領域に格納されていたｃｈ２の２フレーム目のデータを、マルチデコーダ部５（デコード部５ｂ）に送信する（当該送信期間は、１０ｍｓである）。
【００６６】
以後、図４に示すように、メモリ部４からマルチデコーダ部５へのデータ送信処理を、各チャンネル毎の１フレーム単位で、順次実施する。
【００６７】
以上のように、本実施の形態に係るマルチチャンネル表示装置１００では、マルチデコーダ部５は、ハードウェア処理により、受信部１で受信したワンセグデジタル信号を、複数の放送番組（ｃｈ１〜ｃｈ６）毎に順次にデコードする。そして、表示部（表示制御部６＋パネル７）は、マルチデコーダ部５からの出力信号に従い、複数の放送番組（ｃｈ１〜ｃｈ６）を同時に動画表示するマルチ動画像表示を行う。
【００６８】
このように、上記デコード処理はハードウェア処理により実現されるので、ソフトウェア処理によるデコード処理よりも、デコード処理の高速化を図ることができる。したがって、１つのチューナ部２のみにより、表示部において複数のワンセグ放送番組を同時に、しかも動画にて表示することができる。
【００６９】
また、本実施の形態に係るマルチチャンネル表示装置１００では、チューナ部２は、所定の間隔でチャンネルの切替えを行う。そして、メモリ部４は、チューナ部２から出力される各チャンネル毎のワンセグデジタル信号を、当該各チャンネル毎に記憶する。そして、マルチデコーダ部５は、メモリ部４から出力される各チャンネル毎のワンセグデジタル信号を順次受信し、受信した各チャンネル毎のワンセグデジタル信号を順次にデコードする。
【００７０】
したがって、簡易な回路構成を用いて、１つのチューナ部２のみにより、表示部において複数のワンセグ放送番組を同時に、しかも動画にて表示することができる。また、表示部において上記マルチ動画像表示を行うのに、複数のチューナ部２を必要としない。したがって、低コストおよび装置の大型化を防止しつつ、上記マルチ動画像表示を行うマルチチャンネル表示装置１００を提供することができる。
【００７１】
なお、上記でも説明したように、同時に動画像表示されるワンセグ放送番組のうち、１のワンセグ放送番組のみが、リアルタイムでの表示であり、他のワンセグ放送番組は、録画表示である。しかし、当該他のワンセグ放送番組は、１０秒程度遅れの録画表示であるので、マルチ動画像表示動作時に放送されている複数のワンセグ放送を同時に確認する、という観点からは全ワンセグ放送番組はリアルタイムでの表示とみなすことができる。
【００７２】
＜実施の形態２＞
本実施の形態に係るマルチチャンネル表示装置は、実施の形態１で説明した構成に加えて、表示モード切替部（図示せず）を備えている。
【００７３】
表示モード切替部は、図５に示すように、表示モードの切替えを行うことができる。具体的に、表示部は、表示モード切替部からの出力信号に応じて、一の放送番組のみのリアルタイム動画像表示から、マルチ動画像表示に切替えることができる。また、表示部は、表示モード切替部からの出力信号に応じて、マルチ動画像表示から、一の放送番組のみのリアルタイム動画表示に切替えることもできる（この場合には、最後に選局されていた一のワンセグ放送番組が、当該表示モード切替後に表示される）。
【００７４】
なお、一の放送番組のみのリアルタイムでの動画表示がされている状態おいて、チャンネル切替部（図示せず）をユーザが操作したとする。この場合には、当該チャンネル切替部からの出力信号に応じて、チューナ部２は一のワンセグ放送を選局する。そして、パネル７には、チャンネル切替部からの出力信号に応じて、一の放送番組のみをリアルタイムにて動画像表示する。図６では、チャンネル切替部に対するチャンネル切替操作により、パネル７に表示されるワンセグ放送番組が、ｃｈ３→ｃｈ５→ｃｈ２と変更される様子を示している。
【００７５】
また、パネル７でのマルチ動画像表示中において、操作部（図示せず）に対する外部操作により、当該マルチ動画像表示中の一の放送番組が選択されたとする。この場合には、表示部は、当該選択されたことを示す信号に応じて、マルチ動画像表示から、当該選択された一の放送番組のみのリアルタイム動画表示に切替える。
【００７６】
たとえば、図５の下段の表示中において、操作部を操作し、ｃｈ３を選択し、決定したとする。この場合には、図５の上段において、パネル７には、ｃｈ３のワンセグ放送番組がリアルタイムで、かつ動画像にて表示される。
【００７７】
以上により、本実施の形態に係るマルチチャンネル表示装置では、簡単な操作により、上記表示モードの切替を実現することができる。
【００７８】
＜実施の形態３＞
本実施の形態では、１チューナ／１パネル構成における、上記マルチ動画像表示の表示態様について図７乃至１２を用いて説明する。ここで、図７乃至１２において、「録」は、録画表示であることを示す。また、「リ」または「リアル」は、リアルタイムでの表示であることを示す。さらに、数字は、放送番組のチャンネルを示す。
【００７９】
図７は、図３と同趣旨の表示態様であり、１のチャンネルのリアルタイム表示と残り５つのチャンネルの録画再生動画像表示とが、マトリクス状に、複数の放送番組が各チャンネル（各放送番組）毎に区分して同時表示されている。
【００８０】
図８に示す表示態様では、図７と同様に、パネル７には、複数の放送番組が放送番組毎にマトリクス状に区分してマルチ動画像表示がなされているが、チューナ部２で選択中の放送番組の前記区分部に（太）枠が付与されている。つまり、リアルタイムで表示されている放送番組は、（太）枠が付与されている。
【００８１】
図９に示す表示態様では、図７と同様に、パネル７には、複数の放送番組が放送番組毎にマトリクス状に区分してマルチ動画像表示がなされているが、チューナ部２で選択中の放送番組（リアルタイムで表示されている放送番組）は、パネル７の固定区分位置に表示される。図９に示す例では、リアルタイムで表示されている放送番組は、常に、上段左端区分位置に、表示されている。
【００８２】
図１０に示す表示態様では、パネル７には、複数の放送番組が放送番組毎に区分してマルチ動画像表示がなされているが、チューナ部２で選択中の放送番組（リアルタイムで表示されている放送番組）は、他の放送番組（録画動画像表示されている放送番組）よりも大きな区分枠で表示される。図１０に示す例では、リアルタイムで表示されている放送番組は、録画動画像表示されている放送番組の約４倍の大きさで表示されている。
【００８３】
なお、リアルタイムで表示されている放送番組の表示区分を録画動画像表示されている放送番組の表示区分よりも大きくする他の態様として、図１１に例示する各態様も考えられる。ここで、録画動画像表示される放送番組のチャンネル数は、マルチデコーダ部５のデコード性能等に応じて変わる。また、デコード性能が低く、ＣＰＵ（マルチチャンネル表示装置全体の制御を司る制御部：図示せず）パワーが足りない場合には、録画画像の画質を落とすことにより、録画動画像表示のチャンネル数を多く取ることも可能である。
【００８４】
また、図１２に示す表示態様では、パネル７には、複数の放送番組が放送番組毎に区分してマルチ動画像表示がなされているが、チューナ部２で選択中の放送番組（リアルタイムで表示されている放送番組）は、第一のサイズの区分と、当該第一のサイズより大きな第二のサイズの区分とで表示される。図１２に示す例では、上記第二のサイズは、上記第一のサイズの４倍である。
【００８５】
以上のように、図８乃至１２に示す表示態様を採用できる。したがって、図８乃至１２に示す表示態様の場合には、図７に示す表示態様の場合よりも、リアルタイムで表示されている放送番組を、他の録画動画像表示されている放送番組よりも明確に区別して表示できる。
【００８６】
＜実施の形態４＞
上記各実施の形態では、１チューナ／１パネル構成の場合について説明した。本実施の形態では、２チューナ／１パネルまたは２チューナ／２パネル構成における、上記マルチ動画像表示について説明する。
【００８７】
本実施の形態に係るマルチチャンネル表示装置では、実施の形態１で説明したチューナ部（以下、第一のチューナ部と称する）２に加えて、たとえば一つの第二のチューナ部（図示せず）を備えている。
【００８８】
第二のチューナ部は、第一のチューナ部２と同様に、受信部１からのワンセグデジタル信号を受ける。ここで、受信部１で受信されてワンセグデジタル信号は、第一のチューナ部２と第二のチューナ部とへ並列送信される。また、第二のチューナ部は、操作部（図示せず）における操作に応じて、ワンセグ放送の複数のチャンネルから一のチャンネルの選択を行う。ここで、第一のチューナ部２は、実施の形態１で説明したように、自動選局制御も可能であった。しかし、第二のチューナ部は、当該自動選局制御はされず、上記操作部からの操作に応じた選局のみが可能である。
【００８９】
また、第二のチューナ部で選局された所定のチャンネルに関するワンセグデジタル信号は、デマルチプレクサ部３に向けて送信される。デマルチプレクサ部３では、受信した当該ワンセグデジタル信号からも、画像データおよび音声データを取得する。
【００９０】
また、本実施の形態に係るマルチデコーダ部５では、実施の形態１で説明したデコード処理加えて、第二のチューナ部から出力された、上記選択された所定のチャンネルのワンセグデジタル信号（より具体的には、デマルチプレクサ部３で取得された、所定のチャンネルに関する画像データおよび音声データ）をも、デコードする。
【００９１】
当該デコードされた信号を受信した表示制御部６の制御により、パネル７の所定の位置・所定の大きさで、上記所定のチャンネルのワンセグ放送番組がリアルタイムにて動画像で表示される（リアルタイム動画表示と称する）。
【００９２】
また、上記２チューナ／１パネル構成の場合には、図１３に示すように、第一のチューナ部２から出力されるワンセグデジタル信号に基づいて、パネル７には、実施の形態１で説明したマルチ動画像表示ＭＤがなされる。さらに、当該マルチ動画像表示ＭＤと同時に、図１３に示すように、第二のチューナ部から出力されるワンセグデジタル信号に基づいて、パネル７には、選局された所定のチャンネルのワンセグ放送番組が上記リアルタイム動画表示ＲＭとして表示される。
【００９３】
また、図１３では、２チューナ／１パネル構成の場合について言及したが、図１４に示すように、２チューナ／２パネル構成であっても良い。図１４は、図１３の表示内容を、２チューナ／２パネル構成で実現した様子を示しており、第一のパネル７ａには上記リアルタイム動画表示がなされ、第二のパネル７ｂにはマルチ動画像表示ＭＤがなされる。２チューナ／１パネル構成と２チューナ／２パネル構成とは、パネルの数を除いて他の構成で相違は無い。
【００９４】
また、実施の形態２で説明したように、表示モード切替え機能を、本実施の形態に係るマルチチャンネル表示装置が備えていても良い（図１５参照）。
【００９５】
つまり、表示部は、表示モード切替部（図示せず）からの出力信号に応じて、一の放送番組のみのリアルタイム動画像表示（図１５の上段）から、マルチ動画像表示ＭＤとリアルタイム動画像表示ＲＭとから成る表示に切替えることができる（図１５の下段）。また、表示部は、表示モード切替部からの出力信号に応じて、マルチ動画像表示ＭＤとリアルタイム動画像表示ＲＭから、一の放送番組のみのリアルタイム動画表示に切替えることもできる（この場合には、最後に選局されていた一のワンセグ放送番組が、当該表示モード切替後に表示されても良い）。
【００９６】
なお、一の放送番組のみの動画表示がされている状態おいて、チャンネル切替部（図示せず）をユーザが操作したとする。この場合には、当該チャンネル切替部からの出力信号に応じて、たとえば第二のチューナ部は一のワンセグ放送を選局する。そして、パネル７には、チャンネル切替部からの出力信号に応じて、一の放送番組のみをリアルタイム動画像表示を行う。
【００９７】
また、パネル７でのマルチ動画像表示ＭＤを含む表示中において、操作部（図示せず）に対する外部操作により、当該マルチ動画像表示ＭＤ中の一の放送番組が選択されたとする。この場合には、表示部は、当該選択されたことを示す信号に応じて、マルチ動画像表示ＭＤから、当該選択された一の放送番組のみのリアルタイム動画表示に切替える。
【００９８】
なお、実施の形態３に示した各表示態様を、マルチ動画像表示ＭＤを含む表示を行う本実施の形態に対して適用しても良い。たとえば、図１６に示す表示態様では、第一のチューナ部２で選択中の放送番組の区分部に太枠が付与されている。
【００９９】
以上のように、本実施の形態に係るマルチチャンネル表示装置では、マルチ動画像表示ＭＤを実現するための第一のチューナ部２に加えて、リアルタイム動画像表示ＲＭを実現するための第二のチューナ部を備えている。
【０１００】
したがって、ユーザがメインで見たい番組をリアルタイム動画像表示させながら、複数の裏番組を同時に動画像（マルチ動画像表示ＭＤ）にて確認することができる。
【図面の簡単な説明】
【０１０１】
【図１】実施の形態１で説明するマルチチャンネル表示装置の構成を示すブロック図である。
【図２】実施の形態１に係るマルチチャンネル表示装置の動作を説明するための図である。
【図３】実施の形態１に係るマルチチャンネル表示装置の動作を説明するための図である。
【図４】実施の形態１に係るマルチチャンネル表示装置の動作を説明するための図である。
【図５】実施の形態２に係るマルチチャンネル表示装置の動作を説明するための図である。
【図６】リアルタイム動画像表示におけるチャンネル切替動作を説明する図である。
【図７】マルチ動画像表示ＭＤの表示態様例を示す図である。
【図８】マルチ動画像表示ＭＤの表示態様例を示す図である。
【図９】マルチ動画像表示ＭＤの表示態様例を示す図である。
【図１０】マルチ動画像表示ＭＤの表示態様例を示す図である。
【図１１】マルチ動画像表示ＭＤの表示態様例を示す図である。
【図１２】マルチ動画像表示ＭＤの表示態様例を示す図である。
【図１３】２チューナ−１パネル構成における表示態様を示す図である。
【図１４】２チューナ−２パネル構成における表示態様を示す図である。
【図１５】表示モード切替処理を説明するための図である。
【図１６】２チューナ−１パネル構成における表示態様例を示す図である。
【符号の説明】
【０１０２】
１  受信部
２  チューナ部（第一のチューナ部）
３  デマルチプレクサ部
４  メモリ部
５  マルチデコーダ部
５ａ〜５ｆ  デコード部
６  表示制御部
７  パネル
７ａ  第一のパネル
７ｂ  第二のパネル
ＭＤ  マルチ動画像表示
ＲＭ  リアルタイム動画像表示
１００  マルチチャンネル表示装置
【図１】
2010141398.tif 000003
【図２】
2010141398.tif 000004
【図３】
2010141398.tif 000005
【図４】
2010141398.tif 000006
【図５】
2010141398.tif 000007
【図６】
2010141398.tif 000008
【図７】
2010141398.tif 000009
【図８】
2010141398.tif 000010
【図９】
2010141398.tif 000011
【図１０】
2010141398.tif 000012
【図１１】
2010141398.tif 000013
【図１２】
2010141398.tif 000014
【図１３】
2010141398.tif 000015
【図１４】
2010141398.tif 000016
【図１５】
2010141398.tif 000017
【図１６】
2010141398.tif 000018